(57)【要約】  レーザ治療装置は、第１のレーザ光を出力する光源を備えたレーザ光出力部（２４）と、第１のレーザ光を導光及びビーム成形の少なくともいずれか一方を行うことで第２のレーザ光に変換し、第２のレーザ光を外部へ照射させるレーザ光照射部（３１）と、第２のレーザ光の光量を検出する第２の光量検出部（３２）と、少なくとも第２の光量検出部３２の検出結果に基づき使用前点検を行う使用前点検部（２０１）と、過去の起動の情報と使用前点検部の点検の結果に基づき、現在の起動に対応する使用前点検が行われたか否かを判定する使用前点検実施判定部（２０２）と、現在の起動時に、使用前点検実施判定部（２０２）の判定結果を報知する報知部２９とを備える。
2014167829.tif 000002
【特許請求の範囲】
【請求項１】
第１のレーザ光を出力する光源を少なくとも１つ含むレーザ光出力部と、
前記第１のレーザ光を、導光及びビーム成形の少なくともいずれか一方を行うことで第２のレーザ光に変換し、前記第２のレーザ光を外部へ照射させるレーザ光照射部と、
前記第２のレーザ光の光量を検出する第２の光量検出部と、
少なくとも前記第２の光量検出部の検出結果に基づき、使用前点検を行う使用前点検部と、
過去の起動の情報と前記使用前点検部の前記使用前点検の結果に基づき、現在の起動に対応する使用前点検が行われたか否かを判定する使用前点検実施判定部と、
現在の起動時に、前記使用前点検実施判定部の判定結果を報知する報知部と、
を備えたレーザ治療装置。
【請求項２】
前記過去の起動の情報は前記現在の起動の直前の起動の情報であり、
前記使用前点検実施判定部は、前記現在の起動の直前の起動の情報に基づき前記使用前点検が行われたか否かを判定する請求項１に記載のレーザ治療装置。
【請求項３】
前記使用前点検実施判定部は、前記現在の起動の直前の起動時に前記使用前点検が行われている場合、前記現在の起動に対応する使用前点検が行われたと判定し、
前記現在の起動の直前の起動時に前記使用前点検が行われていない場合、前記現在の起動に対応する使用前点検が行われていないと判定する、請求項２に記載のレーザ治療装置。
【請求項４】
前記使用前点検実施判定部は、前記直前の起動時から現在の起動までに所定の期間以上経過している場合、前記直前の起動時に前記使用前点検が行われているかどうかにかかわらず、前記現在の起動に対応する使用前点検が行われていないと判定する、請求項２に記載のレーザ治療装置。
【請求項５】
前記過去の起動の情報は、前記現在の起動の直前の起動を含む連続した所定の複数回の過去の起動の情報であり、
前記使用前点検実施判定部は、前記複数回の過去の起動の情報に基づき前記現在の起動に対応する使用前点検が行われたか否かを判定する請求項１に記載のレーザ治療装置。
【請求項６】
前記過去の起動の情報は、現在の起動から所定の過去の期間内において行われた前記現在の起動の直前の起動を含む複数回の過去の起動の情報であり、
前記使用前点検実施判定部は、前記複数回の過去の起動の情報に基づき前記現在の起動に対応する使用前点検が行われたか否かを判定する請求項１に記載のレーザ治療装置。
【請求項７】
前記使用前点検実施判定部は、前記複数回の過去の起動のうち、前記使用前点検が行われた起動から現在までの間に前記第２のレーザ光が照射されたかどうかに基づき現在の起動に対応する使用前点検が行われたか否かを判定する請求項５または６に記載のレーザ治療装置。
【請求項８】
前記使用前点検実施判定部は、前記複数回の過去の起動のうち、前記使用前点検が行われた起動から現在までの間に前記第２のレーザ光が照射された合計時間に基づき現在の起動に対応する使用前点検が行われたか否かを判定する請求項５または６に記載のレーザ治療装置。
【請求項９】
前記使用前点検部は、前記第２の光量検出部の検出結果が予め備えた所定の条件を満たす場合に前記レーザ光照射部から治療に適した第２のレーザ光を照射できる状態であると判定する、請求項１から８のいずれかに記載のレーザ治療装置。
【請求項１０】
前記使用前点検部における前記使用前点検は、前記レーザ光照射部から治療に適した第２のレーザ光を照射できる状態であるか否かの点検を含む請求項１から１０のいずれかに記載のレーザ治療装置。
【請求項１１】
前記使用前点検部は、前記第２の光量検出部の検出結果が予め備えた所定の条件を満たさない場合、前記レーザ治療装置が故障していると判定する、請求項１から１０のいずれかに記載のレーザ治療装置。
【請求項１２】
前記第１のレーザ光の光量を検出する第１の光量検出部をさらに備え、
前記使用前点検部における前記使用前点検は、前記第１の光量検出部の検出結果が予め備えた所定の条件を満たすか否かの点検を含む、請求項１から１１のいずれかに記載のレーザ治療装置。
【請求項１３】
前記光源に供給される電流の電流値を検出する電流検出部をさらに備え、
前記使用前点検部における前記使用前点検は、前記電流検出部の検出結果が予め備えた所定の条件を満たすか否かの点検を含む、請求項１から１２のいずれかに記載のレーザ治療装置。
【請求項１４】
前記光源の温度を検出する温度検出部をさらに備え、
前記使用前点検部における前記使用前点検は、前記温度検出部の検出結果が予め備えた所定の条件を満たすか否かの点検を含む、請求項１から１３のいずれかに記載のレーザ治療装置。
【請求項１５】
前記第１のレーザ光の光量を検出する第１の光量検出部と、
前記光源に供給される電流の電流値を検出する電流検出部と、
前記光源の温度を検出する温度検出部と、
をさらに備え、
前記使用前点検部は、前記第１の光量検出部の検出結果、前記電流検出部の検出結果及び前記温度検出部の検出結果の少なくとも一つが所定の条件を満たさない場合、前記レーザ治療装置に異常が発生していると判定する、請求項１から１１のいずれかに記載のレーザ治療装置。
【請求項１６】
前記レーザ光出力部からのレーザ光の出力のＯＮ及びＯＦＦを設定する操作部をさらに備えた、請求項１から１５のいずれかに記載のレーザ治療装置。
【請求項１７】
前記使用前点検部は、前記操作部でレーザ光の出力のＯＮが設定された場合に所定の期間及び所定の出力で第１のレーザ光を出力するように前記レーザ光出力部を制御し、
前記所定の期間における情報に基づき前記使用前点検を実施する、請求項１６に記載のレーザ治療装置。
【請求項１８】
前記レーザ光出力部は、前記光源を複数備え、前記複数の光源それぞれから前記第１のレーザ光を出力する、請求項１から１７のいずれかに記載のレーザ治療装置。
【請求項１９】
前記使用前点検実施判定部は、前記使用前点検実施判定部の判定結果とともに前記使用前点検の判定結果を前記報知部に報知させる、請求項１から１８のいずれかに記載のレーザ治療装置。
【発明の詳細な説明】
【技術分野】
【０００１】
本願は、レーザ治療装置に関する。
【背景技術】
【０００２】
レーザは種々の治療に用いられる。たとえば、レーザ治療装置は、光線力学的治療法（ｐｈｏｔｏｄｙｎａｍｉｃ  ｔｈｅｒａｐｙ：以下、「ＰＤＴ」と略する。）に用いられる。【０００３】
ＰＤＴとは、癌細胞に多く蓄積される光感受性物質とレーザ光照射による光化学反応とを利用した局所的治療法である。具体的には、光感受性物質（例えば、タラポルフィンナトリウム）を生体に投与し、光感受性物質が蓄積された癌細胞に光感受性物質特有の励起波長を有するレーザ光を照射することで、光感受性物質から一重項酸素を生じさせ、この一重項酸素により癌細胞を破壊する治療法である。【０００４】
例えば、特許文献１にはＰＤＴに用いるレーザ治療装置が提案されている。
【先行技術文献】
【特許文献】
【０００５】
【特許文献１】特開２００６−８７６４６号公報
【発明の概要】
【発明が解決しようとする課題】
【０００６】
ＰＤＴのような治療を行う場合、治療中にレーザ治療装置が故障することによって治療が継続できなくなるような事態をできるだけ避けることが好ましい。【０００７】
本願は、使用者が治療の際に適切にレーザ治療を行える状態であるかを確認することができるレーザ治療装置を提供することを目的とする。
【課題を解決するための手段】
【０００８】
本願の一実施形態に係るレーザ治療装置は、第１のレーザ光を出力する光源を少なくとも１つ含むレーザ光出力部と、前記第１のレーザ光を、導光及びビーム成形の少なくともいずれか一方を行うことで第２のレーザ光に変換し、前記第２のレーザ光を外部へ照射させるレーザ光照射部と、前記第２のレーザ光の光量を検出する第２の光量検出部と、少なくとも前記第２の光量検出部の検出結果に基づき、前記使用前点検を行う使用前点検部と、過去の起動の情報と前記使用前点検部の点検の結果に基づき、現在の起動に対応する使用前点検が行われたか否かを判定する使用前点検実施判定部と、現在の起動時に、前記使用前点検実施判定部の判定結果を報知する報知部とを備える。
【発明の効果】
【０００９】
本願のレーザ治療装置によれば適切にレーザ治療を行える状態であるかを確認することができる。
【図面の簡単な説明】
【００１０】
【図１】本願の実施の形態１におけるレーザ治療装置の外観図の一例である。
【図２】本願の実施の形態１におけるレーザ治療装置の概略的なハードウエアのブロック図の一例である。
【図３】本願の実施の形態１におけるレーザ治療装置の制御部の詳細な機能ブロック図の一例である。
【図４】本願の実施の形態１におけるレーザ治療装置の照射ユニットの具体的な構成示す図の一例である。
【図５】本願の実施の形態１におけるレーザ治療装置の使用前点検モードが選択された場合の動作フロー図の一例である。
【図６】本願の実施の形態１におけるレーザ治療装置が起動された場合の動作フロー図の一例である。
【発明を実施するための形態】
【００１１】
本発明の一態様の概要は以下の通りである。
【００１２】
本発明の一態様にかかるレーザ治療装置は、第１のレーザ光を出力する光源を少なくとも１つ含むレーザ光出力部と、前記第１のレーザ光を、導光及びビーム成形の少なくともいずれか一方を行うことで第２のレーザ光に変換し、前記第２のレーザ光を外部へ照射させるレーザ光照射部と、前記第２のレーザ光の光量を検出する第２の光量検出部と、少なくとも前記第２の光量検出部の検出結果に基づき、使用前点検を行う使用前点検部と、過去の起動の情報と前記使用前点検部の前記使用前点検の結果に基づき、現在の起動に対応する使用前点検が行われたか否かを判定する使用前点検実施判定部と、現在の起動時に、前記使用前点検実施判定部の判定結果を報知する報知部とを備える。
【００１３】
前記過去の起動の情報は前記現在の起動の直前の起動の情報であり、前記使用前点検実施判定部は、前記現在の起動の直前の起動の情報に基づき前記使用前点検が行われたか否かを判定してもよい。
【００１４】
前記使用前点検実施判定部は、前記現在の起動の直前の起動時に前記使用前点検が行われている場合、前記現在の起動に対応する使用前点検が行われたと判定し、前記現在の起動の直前の起動時に前記使用前点検が行われていない場合、前記現在の起動に対応する使用前点検が行われていないと判定してもよい。
【００１５】
前記使用前点検実施判定部は、前記直前の起動時から現在の起動までに所定の期間以上経過している場合、前記直前の起動時に前記使用前点検が行われているかどうかにかかわらず、前記現在の起動に対応する使用前点検が行われていないと判定してもよい。
【００１６】
前記過去の起動の情報は、前記現在の起動の直前の起動を含む連続した所定の複数回の過去の起動の情報であり、前記使用前点検実施判定部は、前記複数回の過去の起動の情報に基づき前記現在の起動に対応する使用前点検が行われたか否かを判定してもよい。
【００１７】
前記過去の起動の情報は、現在の起動から所定の過去の期間内において行われた前記現在の起動の直前の起動を含む複数回の過去の起動の情報であり、前記使用前点検実施判定部は、前記複数回の過去の起動の情報に基づき前記現在の起動に対応する使用前点検が行われたか否かを判定してもよい。
【００１８】
前記使用前点検実施判定部は、前記複数回の過去の起動のうち、前記使用前点検が行われた起動から現在までの間に前記第２のレーザ光が照射されたかどうかに基づき現在の起動に対応する使用前点検が行われたか否かを判定してもよい。
【００１９】
前記使用前点検実施判定部は、前記複数回の過去の起動のうち、前記使用前点検が行われた起動から現在までの間に前記第２のレーザ光が照射された合計時間に基づき現在の起動に対応する使用前点検が行われたか否かを判定してもよい。
【００２０】
前記使用前点検部は、前記第２の光量検出部の検出結果が予め備えた所定の条件を満たす場合に前記レーザ光照射部から治療に適した第２のレーザ光を照射できる状態であると判定してもよい。
【００２１】
前記使用前点検部における前記使用前点検は、前記レーザ光照射部から治療に適した第２のレーザ光を照射できる状態であるか否かの点検を含んでいてもよい。
【００２２】
前記使用前点検部は、前記第２の光量検出部の検出結果が予め備えた所定の条件を満たさない場合、前記レーザ治療装置が故障していると判定してもよい。
【００２３】
前記レーザ治療装置は、前記第１のレーザ光の光量を検出する第１の光量検出部をさらに備え、前記使用前点検部における前記使用前点検は、前記第１の光量検出部の検出結果が予め備えた所定の条件を満たすか否かの点検を含んでいてもよい。
【００２４】
前記レーザ治療装置は、前記光源に供給される電流の電流値を検出する電流検出部をさらに備え、前記使用前点検部における前記使用前点検は、前記電流検出部の検出結果が予め備えた所定の条件を満たすか否かの点検を含んでいてもよい。
【００２５】
前記レーザ治療装置は、前記光源の温度を検出する温度検出部をさらに備え、前記使用前点検部における前記使用前点検は、前記温度検出部の検出結果が予め備えた所定の条件を満たすか否かの点検を含んでいてもよい。
【００２６】
前記レーザ治療装置は、前記第１のレーザ光の光量を検出する第１の光量検出部と、前記光源に供給される電流の電流値を検出する電流検出部と、前記光源の温度を検出する温度検出部とをさらに備え、前記使用前点検部は、前記第１の光量検出部の検出結果、前記電流検出部の検出結果及び前記温度検出部の検出結果の少なくとも一つが所定の条件を満たさない場合、前記レーザ治療装置に異常が発生していると判定してもよい。
【００２７】
前記レーザ治療装置は、前記レーザ光出力部からのレーザ光の出力のＯＮ及びＯＦＦを設定する操作部をさらに備えていてもよい。
【００２８】
前記使用前点検部は、前記操作部でレーザ光の出力のＯＮが設定された場合に所定の期間及び所定の出力で第１のレーザ光を出力するように前記レーザ光出力部を制御し、前記所定の期間における情報に基づき前記使用前点検を実施してもよい。
【００２９】
前記レーザ光出力部は、前記光源を複数備え、前記複数の光源それぞれから前記第１のレーザ光を出力してもよい。
【００３０】
前記使用前点検実施判定部は、前記使用前点検実施判定部の判定結果とともに前記使用前点検の判定結果を前記報知部に報知させてもよい。
【００３１】
以下、図面を参照しながら、本願の実施の形態の一態様に係るレーザ治療装置を詳細に説明する。
【００３２】
≪構成について≫
＜全体構成＞
図１は、本実施の形態によるレーザ治療装置の外観図の一例である。
【００３３】
図１に示すように、レーザ治療装置１は、本体２、照射ユニット３、導光ファイバ４、信号ケーブル５及び電源ケーブル６を含んでいる。
【００３４】
レーザ治療装置１は、使用前点検モードおよび治療モードで動作する。「使用前点検」とは少なくとも照射ユニット３から治療に適したレーザ光が出射可能であるかを点検することをいう。使用前点検モードにおいて、レーザ治療装置１は、レーザ治療装置１の使用前点検を行う。つまり、レーザ治療装置１は、少なくとも照射ユニット３から治療に適したレーザ光を照射できる状態であるか否かの点検を行う。また、治療モードにおいて、レーザ治療装置１は、操作者による指示により、照射ユニット３から治療のためのレーザ光を照射する。
【００３５】
＜本体２＞
図２は、レーザ治療装置１の概略的なハードウエア構成の一例を示すブロック図である。本体２は、図２に示すように、操作部２１、電流制御部２２、電流検出部２３、レーザ光出力部２４、第１の光量検出部２５、温度検出部２６、制御部２７、記憶部２８及び表示部２９を含んでいる。制御部２７および記憶部２８は、例えば、メモリなどの記憶装置とＣＰＵ等の情報演算装置を含むマイコンなどによって構成されている。
【００３６】
＜操作部２１＞
操作部２１は、図１に示すように、電源スイッチ２１ａと、レーザ光照射のＯＮ／ＯＦＦを切り替えるフットスイッチ２１ｂと、使用前点検モードを選択するための使用前点検スイッチ２１ｃとを含む。レーザ光の出力の設定、照射時間等、使用者がレーザ治療装置１の各種設定を行うためのスイッチや入力デバイスをさらに含んでいてもよい。
【００３７】
＜電流制御部２２＞
電流制御部２２は、使用者がフットスイッチ２１ｂにより、レーザ光照射をＯＮとしたことに伴い、制御部２７の制御の下、所定の出力の電流を、電流検出部２３を介してレーザ光出力部２４の複数の光源それぞれに供給する。
【００３８】
＜電流検出部２３＞
電流検出部２３は、使用前点検モードにおいて、電流制御部２２からレーザ光出力部２４の光源に供給された実際の電流の電流値を検出し、その検出結果を制御部２７に出力する。この電流値は、例えば、電流検出部２３に備えた抵抗器（不図示）を用いて測定した電圧降下に基づき検出される。
【００３９】
＜レーザ光出力部２４＞
レーザ光出力部２４は、例えば、冗長性のため、複数の光源（不図示）を有し、電流制御部２２から供給された電流に基づき、それぞれの光源からレーザ光（以下、「第１のレーザ光」とする。）を出力する。ここで用いる光源は、例えば半導体レーザ素子である。レーザ光出力部２４から出力された第１のレーザ光は、導光ファイバ４を介して後述のレーザ光照射部３１に導光される。
【００４０】
なお、本実施の形態においては、レーザ光出力部２４には、複数の光源を備えるが、必ずしも複数の光源を備える必要はなく、１つの光源であってもよい。
【００４１】
また、光源から出射される第1のレーザ光の波長や強度は、治療を行う部位や用いる光感受性物質の種類等ＰＤＴの条件に応じて決定し得る。例えば、第１のレーザ光の波長は６６４ｎｍ±２ｎｍであり、出力は、２６５ｍＷ±２０％である。
【００４２】
＜第１の光量検出部２５＞
第１の光量検出部２５は、使用前点検モードにおいて、レーザ光出力部２４の２つの光源それぞれの第１のレーザ光の光量を検出し、その検出結果を制御部２７に出力する。具体的には、第１の光量検出部２５はフォトダイオード（不図示）とＩ−Ｖ（電流−電圧）変換回路（不図示）から構成され、フォトダイオードでレーザ光を受光し、電流値に変換するとともに、その電流値をＩ−Ｖ（電流−電圧）変換回路で電圧値に変換する。そして、この電圧値に関する信号を制御部２７に出力する。
【００４３】
なお、前述のレーザ光出力部２４は、光源毎にＨｉｇｈ  Ｈｅａｔ  Ｌｏａｄ（以下、「ＨＨＬ」と略する。）パッケージ（不図示）内に収納され、それぞれのＨＨＬパッケージ内には光源とともに第１の光量検出部２５のフォトダイオードが収納されている。そして、光源から出力された第１のレーザ光を導光ファイバ４に導光させる際にＨＨＬパッケージ内に漏れ出た光をフォトダイオードが受光する。このＨＨＬパッケージ全体は積分球に相当する構造を備え、第１の光量検出部２５ではフォトダイオードにより、導光ファイバ４に導光される第１のレーザ光の光量に比例した光量を常時検出することができる。
【００４４】
＜温度検出部２６＞
温度検出部２６は、使用前点検モードにおいて、第１のレーザ光を出力中のレーザ光出力部２４の温度を検出し、その検出結果を制御部２７に出力する。具体的には、それぞれのＨＨＬパッケージ内に温度検出部２６として温度サーミスタを備え、この温度サーミスタでＨＨＬパッケージ内の温度を検出し、その検出結果を制御部２７に出力する。
【００４５】
＜制御部２７＞
制御部２７は、操作部２１の各種設定に基づき、使用前点検モードおよび治療モードにおいて、本体２内の各ブロックを制御する。各ブロックの制御は、例えば、各ブロックの制御の手順が規定されたソフトウエアやファームウエアをメモリから読み出し、情報処理装置が逐次実行することによって行われる。
【００４６】
具体的には、操作部２１の使用前点検スイッチ２１ｃが、使用者によってＯＮにされた場合、制御部２７は、使用前点検モードで各部を制御する。具体的には、使用者によってフットスイッチ２１ｂでレーザ光の出力がＯＮされたことに伴い、レーザ光出力部２４に対し、予め設定した所定の時間及び所定の出力でレーザ光を出力させるように制御を行う。使用者が予め設定した所定の時間を越えて、フットスイッチ２１ｂがＯＮにされた場合、制御部２７は、レーザ光が継続して出力されていたとしても、その所定の時間内において使用前点検が行う制御を行う。あるいは、制御部２７は、フットスイッチ２１ｂがＯＮ状態であっても所定の時間が経過した時にレーザ光の出力を停止し、使用前点検を行う制御を行う。
【００４７】
また、レーザ治療装置１が起動された場合、制御部２７は起動されたことを示す信号を記憶部２８に出力する。以下において説明するように、起動時にはレーザ治療装置１は、治療モードで動作し得る。つまり、起動時には、治療モードが選択される。
【００４８】
使用者によって、使用前点検スイッチ２１ｃがＯＮにされ、使用前点検モードが選択された場合、制御部２７は、使用前点検モードにモードを切り替え、使用前点検を行う。図３は、制御部２７の使用前点検に関する機能ブロック図の一例を示している。制御部２７は、使用前点検部２０１および使用前点検実施判定部２０２を含む。
【００４９】
なお、制御部２７は、操作部２１において、「使用前点検モード」が選択されたとしても、使用者が予め設定した所定の時間を経過する前にフットスイッチ２１ｂがＯＦＦ状態になった場合には、使用前点検が行われたと判定しないものとする。
【００５０】
＜使用前点検部２０１＞
使用前点検スイッチ２１ｃによって使用前点検モードが選択され、フットスイッチ２１ｂが所定の時間ＯＮ状態になった場合、使用前点検部２０１は、それぞれの光源に対応する電流検出部２３、第１の光量検出部２５、温度検出部２６及び後述の第２の光量検出部３２からの検出結果を受け取り、これらの検出結果が、予め記憶あるいは設定されたそれぞれの検出結果に対応する所定の条件を満たすか否かを判定する。そして、使用前点検部２０１は、それぞれの判定結果に基づき使用するレーザ治療装置１が適切なレーザ治療を行える状態であるか否かを判定する。例えば、第１の光量検出部２５の検出結果、電流検出部２３の検出結果、温度検出部２６の検出結果および第２の光量検出部３２の検出結果の少なくとも一つが所定の条件を満たさない場合、レーザ光照射部３1から治療に適した第２のレーザ光を照射できる状態ではないと判定する。
【００５１】
また、使用前点検部２０１は、使用前点検を行った結果、レーザ治療装置１が故障中であること、或いは故障中ではないものの異常を検知したことを表示部２９に表示させる処理を行う。さらに、使用前点検部２０１は、使用前点検モードが実行されたことと、その使用前点検を行った結果を記憶部２８に出力する。故障の表示あるいは異常の検知は、第１の光量検出部２５、電流検出部２３、温度検出部２６および第２の光量検出部３２のいずれが異常であるのかを具体的に示すものであってもよい。
【００５２】
なお、本実施の形態では、使用前点検部２０１が、電流検出部２３、第１の光量検出部２５、温度検出部２６及び後述の第２の光量検出部３２からの検出結果に基づき使用前点検を行うが、少なくとも第２の光量検出部３２からの検出結果に基づいて、使用前点検を行えばよい。電流検出部２３や第１の光量検出部２５の検出結果を用いなくても、第２の光量検出部３２からの検出結果が所定の条件を満たしている場合、結果的には、照射ユニット３から治療に適したレーザ光を照射できる状態であると判断できるからである。
【００５３】
一方、電流検出部２３、第１の光量検出部２５、温度検出部２６及び後述の第２の光量検出部３２の検出結果を用いる場合、レーザ治療装置１のどの構成部分が故障しているのか、あるいは、どの構成部分に異常が生じているのかを具体的に報知することが可能となる。
【００５４】
また、使用前点検部２０１は、上述の検出結果に加えて、例えば、表示部２９、操作部２１及び記憶部２８といったレーザ照射に係る機能以外の装置の一般的機能の異常を検出するように構成されていてもよい。
【００５５】
＜使用前点検実施判定部２０２＞
レーザ治療装置１が起動されると、使用前点検実施判定部２０２は、記憶部２８から現在のレーザ治療装置１の起動の直前（直近）の起動（以下、「前回の起動」とする。）時のデータを抽出し、前回の起動時に使用前点検モードが実行されているか否かを判定する。そして、使用前点検実施判定部２０２は、表示部２９に対し、判定した使用前点検の実行の有無に係るデータと、使用前点検が行われていればその使用前点検の結果つまり、故障や異常の有無を表示させる指示を表示部２９に行う。
【００５６】
なお、前回の起動時に使用前点検が行われていたとしても、例えば、前回の起動時から現在の起動までの間に所定の期間（例えば、７２時間）以上経過していれば、使用前点検実施判定部２０２が、使用前点検が行われないと判定し、表示部２９にその表示を行わせてもよい。
【００５７】
＜記憶部２８＞
記憶部２８は、操作部２１で使用前点検モードが選択された場合、使用前点検部２０１からの出力により、使用前点検モードが実行されたこと、および、使用前点検の結果に係るデータを記憶する。また、記憶部２８は、レーザ治療装置１が起動された場合、制御部２７からの指示により、レーザ治療装置１が起動されたことを記憶する。そして、記憶部２８は、使用前点検実施判定部２０２からの指示に基づき、記憶した前回の起動時のデータを使用前点検実施判定部２０２に出力する。
【００５８】
＜照射ユニット３＞
照射ユニット３は、図２に示すようにレーザ光照射部３１及び第２の光量検出部３２を含む。図４は、具体的な照射ユニット３の構成の一例を示している。
【００５９】
＜レーザ光照射部３１＞
レーザ光照射部３１は、導光ファイバ４を介して導光されたレーザ光出力部２４の複数の光源からのそれぞれの第１のレーザ光を導光及びビーム成形の少なくともいずれか一方を行うことで第２のレーザ光に変換し、この第２のレーザ光を患部に照射する。
【００６０】
レーザ光照射部３１は、具体的には、図４に示すように光学レンズ３３、ビームスプリッタ３４及び照射口３５を含む。光学レンズ３３は、導光ファイバ４によって導かれた第１のレーザ光を集光し、ビームとして収束させて第２のレーザ光に変換する。第２のレーザ光は照射口３５から照射ユニット３の外部に出射し、患部に治療光として照射される。また、ビームスプリッタ３４により、第２のレーザが分割され、一部が第２の光量検出部３２に導かれる。
【００６１】
＜第２の光量検出部３２＞
第２の光量検出部３２は、フォトダイオード３６とＩ−Ｖ（電流−電圧）変換回路３７を含み、ビームスプリッタ３４で分割された第２のレーザ光を受光し、Ｉ−Ｖ（電流−電圧）変換回路で電圧値に変換する。そして、この電圧値に関する信号は、信号ケーブル５を介して使用前点検部２０１に出力される。
【００６２】
＜表示部２９＞
表示部２９は、各種設定情報等の表示をする。具体的には、例えば、表示部２９は、使用前点検が行われていないことを示す警告灯２９ａ、故障を示す警告灯２９ｃ、異常を示す警告灯２９ｄ、および故障や異常の内容を示すコード表示器２９ｅを含む。これにより、使用者は、故障・異常等のレーザ治療装置１の状態、使用前点検の必要性を知ることができる。
【００６３】
なお、本実施の形態では、使用前点検の結果や警告表示を表示部２９の表示により使用者に報知するが、本発明はこれに限定されるものではない。例えば、使用前点検の結果や警告を液晶表示装置のような任意の数字、文字、図形や画像を表示し得る表示装置に表示してもよい。また、また、ブザー等による音で知らせる構成であってもよい。すなわち、使用者が、使用前点検の結果や使用前点検の必要性を視覚的或いは聴覚的に理解できる報知部であれば、特に限定されるものではない。
【００６４】
＜導光ファイバ４＞
導光ファイバ４は、上述のとおり、レーザ光出力部２４から出力された第１のレーザ光を導光し、レーザ光照射部３１に供給するための媒体である。
【００６５】
＜信号ケーブル５＞
信号ケーブル５は、第２の光量検出部３２の検出結果に関する信号を、使用前点検部２０１に供給するための媒体である。
【００６６】
＜電源ケーブル６＞
電源ケーブル６は、外部電源に接続され、レーザ治療装置１に電気を供給する。
【００６７】
≪動作について≫
以上の構成からなるレーザ治療装置１の動作について、操作者の動作も踏まえて図５及び図６の動作フロー図を用いて説明する。ここでは、使用前点検モードが選択された場合（図５に対応するステップ１（Ｓ０１１）〜ステップ５（Ｓ０１５））とレーザ治療装置１が起動され、治療モードで動作する場合（図６に対応するステップ１（Ｓ０２１）〜ステップ４（Ｓ０２４））とのそれぞれについて説明を行う。
【００６８】
＜使用前点検モードが選択された場合の動作フロー＞
以下に、使用前点検モードが選択された場合のレーザ治療装置１の動作を説明する。
【００６９】
（ステップ１（Ｓ０１１））
ステップ１（Ｓ０１１）では、使用者が使用前点検スイッチ２１ｃを操作することで使用前点検モードを選択する。
【００７０】
（ステップ２（Ｓ０１２））
ステップ２（Ｓ０１２）では、使用者が、フットスイッチ２１ｂをＯＮとする。これにより制御部２７は、使用前点検モードに対応した出力、照射時間等の第１のレーザ光を、電流制御部２２を介してレーザ光出力部２４に出力させる。
【００７１】
（ステップ３（Ｓ０１３））
ステップ３（Ｓ０１３）では、レーザ光出力部２４から第１のレーザ光が出力されたことに伴い、電流検出部２３で電流値の検出、第１の光量検出部２５で第１のレーザ光の光量検出、温度検出部２６でレーザ光出力部２４の温度検出及び第２の光量検出部３２で第２のレーザ光の光量検出が行われる。そして、それぞれのブロックで検出された検出結果は、使用前点検部２０１に出力される。
【００７２】
（ステップ４（Ｓ０１４））
ステップ４（Ｓ０１４）は、使用前点検部２０１が、ステップ３（Ｓ０１３）で行われたそれぞれの検出結果に基づき、使用前点検を行う。
【００７３】
具体的な使用前点検については、以下に説明を行う。使用前点検部２０１は、電流検出部２３の検出結果、第１の光量検出部２５の検出結果、温度検出部２６の検出結果及び第２の光量検出部３２の検出結果のそれぞれに対応する所定の条件を備える。例えば、この所定の条件とは、所定の閾値或いは所定の閾値範囲のことである。そして、使用前点検部２０１は、それぞれのブロック（電流検出部２３、第１の光量検出部２５、温度検出部２６、第２の光量検出部３２）の検出結果が、それぞれに対応する所定の条件を満たすか否かの判定を行う。  
【００７４】
使用前点検部２０１において、第２の光量検出部３２の検出結果が所定の条件を満たさないと判定された場合は、その後レーザ治療が行われるとしても、そのレーザ治療に対応した所定の出力の第２のレーザ光を患部に照射できないことを示している。したがって、この場合、使用前点検部２０１はレーザ治療装置１の「故障」と判定し、故障を示す警告灯２９ｃを点灯させる。
【００７５】
また、使用前点検部２０１において、第２の光量検出部３２の検出結果が所定の条件を満たしているが、レーザ光出力部２４に備えた複数の光源のうち、少なくとも１つの光源について、電流検出部２３の検出結果、第１の光量検出部２５の検出結果及び温度検出部２６の検出結果の少なくとも１つが所定の条件を満たさないと判定された場合、使用前点検部２０１は、レーザ治療装置１の「異常」と判定し、異常を示す警告灯２９ｄを点灯させる。なぜなら、レーザ光照射部３１において、第２のレーザ光が適切に照射されていたとしても、電流検出部２３の検出結果、第１の光量検出部２５の検出結果及び温度検出部２６の検出結果の少なくとも１つが所定の条件を満たさない、ということは、レーザ光出力部２４の複数の光源の冗長性が確保されておらず、その後レーザ治療を行う際に何らかのレーザ治療装置１の故障等の異常が発生する可能性があるからである。
【００７６】
使用前点検部２０１は、上述した故障や異常の判定を行った場合に、どの構成部分が故障や異常であるのかを示す故障や異常の内容をコード表示器２９ｅに表示させる。
【００７７】
また、使用前点検部２０１において、レーザ光出力部２４に備えた複数の光源のいずれの電流検出部２３の検出結果、第１の光量検出部２５の検出結果、温度検出部２６の検出結果及び第２の光量検出部３２のいずれも所定の条件を満たしていれば、使用前点検部２０１は、「故障」及び「異常」がないと判定する。
【００７８】
（ステップ５（Ｓ０１５））
ステップ５（Ｓ０１５）では、使用前点検部２０１が表示部２９に使用前点検の結果を表示させ、記憶部２８に使用前点検モードが実行されたこと、その使用前点検を行った結果を記憶させ、使用前点検モードを終了する。使用前点検モードの終了は、使用前点検部２０１の上述した動作後、使用前点検部２０１が自動的に行い、例えば、治療モードへ移行してもよい。また、使用前点検モードを終了、使用者が操作部２０を操作することにより、治療モードへ移行してもよい。あるいは、使用者が電源スイッチ２１ａをＯＦＦにし、再度電源スイッチ２１ａをＯＮにすることにより、治療モードで動作可能な状態となるようにしてもよい。
【００７９】
＜レーザ治療装置１が起動された場合の動作フロー＞
以下に、レーザ治療装置１が起動された場合のレーザ治療装置１の動作を説明する。
【００８０】
（ステップ１（Ｓ０２１））
ステップ１（Ｓ０２１）では、使用者が電源スイッチ２１ａを操作することでレーザ治療装置１を起動させる。これにより、レーザ治療装置１は、治療モードで動作可能な状態となる。
【００８１】
（ステップ２（Ｓ０２２））
ステップ２（Ｓ０２２）では、使用前点検実施判定部２０２が、記憶部２８内のデータの中から、前回の起動時に係るデータを抽出する。
【００８２】
（ステップ３（Ｓ０２３））
ステップ３（Ｓ０２３）では、使用前点検実施判定部２０２が、レーザ治療装置１の前回の起動時に使用前点検が行われたか否かを判定する。
【００８３】
（ステップ４（Ｓ０２４））
ステップ４（Ｓ０２４）では、使用前点検実施判定部２０２が、前回のレーザ治療装置１の起動時の使用点検の有無と、使用前点検が行われていた場合は、その使用前点検の結果を表示させる指示を行う。具体的には、例えば、使用前点検実施判定部２０２は、前回の起動時に使用前点検が行われた場合には、使用前点検が行われていないことを示すための警告灯２９ａを点灯させない。使用者は、使用前点検が行われていないことを示すための警告灯２９ａが点灯していないことにより、適切な使用前点検が行われたことを確認できる。
【００８４】
また、使用前点検実施判定部２０２は、前回の起動時に使用前点検が行われていない場合は、使用前点検が行われていないことを示すための警告灯２９ａを点灯させる。使用者は、使用前点検が行われていないことを示すための警告灯２９ａが点灯していることにより、適切な使用前点検が行われていないことを確認できる。
【００８５】
使用者これらの表示を確認することで、レーザ治療を行うか否かを判断する。
【００８６】
≪まとめ≫
以上のとおり、本発明の実施の形態に係るレーザ治療装置によれば、レーザ治療を行う際にレーザ治療装置が適切な使用前点検行われたことを、確認することができる。したがって、使用前点検により、レーザ治療時にレーザ治療装置が故障する可能性を小さくすることできる。
【００８７】
≪他の形態≫
なお上記実施の形態では、使用前点検実施判定部２０２は、前回つまり、直前の起動時のみに、使用前点検が行われているか否かを判定していたが、現在の起動の直前の起動を含む複数回の過去の起動時に使用前点検が行われているか否かを判定し、判定結果を表示部２９に表示させてもよい。
【００８８】
具体的には、現在の起動の直前の起動を含む連続した所定の複数回（例えば３回）の過去の起動時に使用前点検が行われているか否かを判定してもよい。また、現在の起動から所定の過去の期間内（例えば７２時間内）において行われた現在の起動の直前の起動を含む複数回の過去の起動時に使用前点検が行われているか否かを判定してもよい。
【００８９】
例えば、ある起動時に使用前点検を行った後、レーザ治療装置１を用いて治療を行うための起動までの間に、１回以上、レーザ治療装置１の電源をＯＮにし、使用前点検も治療モードによる動作も行わずに、電源をＯＦＦにすることが考えられる。この場合、前回の起動時には、使用前点検を行ってはいないが、直近の使用前点検から現在までの間において、レーザ治療装置１の各部の状態に特に大きな変化はないと考えられる。
【００９０】
このため、このような場合には、使用前点検実施判定部２０２は、連続した所定の複数回の過去の起動、または、現在の起動から所定の過去の期間内において行われた複数回の過去の起動のいずれかの起動において、使用前点検が行われているか否かを判定して、使用前点検が行われている場合には、現在の起動に対する使用点検が行われていたと判定してもよい。
【００９１】
また、このように直前の起動時に使用前点検が行われていない場合において、直近の使用前点検と現在の起動との間において、なんらかの理由により、使用前点検ではないが、照射ユニット３から第２のレーザ光を出射させることが考えられる。
【００９２】
この場合、使用前点検実施判定部２０２は、第２のレーザ光が照射されているか否かを使用前点検が行われているか否かの判定の条件としてもよい。例えば、使用前点検実施判定部２０２は、連続した所定の複数回の過去の起動、または、現在の起動から所定の過去の期間内において行われた複数回の過去の起動のいずれかの起動において、使用前点検が行われており、かつ、第２のレーザ光が照射されていない場合に、現在の起動に対応する使用前点検が行われたと判定してもよい。
【００９３】
また、第２のレーザ光が１回または複数回照射されている場合でも、合計の照射時間が短ければ、光源の劣化はほとんど生じていないと考えられる。この場合、同様に、現在の起動に対応する使用前点検が行われたと判定してもよい。一方、第２のレーザ光の照射時間の合計が所定の値以上である場合、前回の使用前点検後に、光源の性能等の劣化が生じ得る動作があったと考えられる。この場合には、現在の起動に対応する使用前点検が行われていないと判定してもよい。
【産業上の利用可能性】
【００９４】
本発明は、種々の治療装置や診断装置に適用可能であり、治療や診断時に故障等が生じる可能性を抑制でき、適切な動作が行うことが可能な治療装置や診断装置に好適に用いられる。
【符号の説明】
【００９５】
１  レーザ治療装置
２  本体
３  照射ユニット
４  導光ファイバ
５  信号ケーブル
６  電源ケーブル
２１、２１ａ、２１ｂ  操作部
２２  電流制御部
２３  電流検出部
２４  レーザ光出力部
２５  第１の光量検出部
２６  温度検出部
２７  制御部
２８  記憶部
２９  表示部
２０１  使用前点検部
２０２  使用前点検実施判定部
【図１】
2014167829.tif 000003
【図２】
2014167829.tif 000004
【図３】
2014167829.tif 000005
【図４】
2014167829.tif 000006
【図５】
2014167829.tif 000007
【図６】
2014167829.tif 000008
【国際調査報告】
2014167829.tif 000009
2014167829.tif 000010
2014167829.tif 000011
2014167829.tif 000012